(57)【要約】【課題】  ロール巻き状トイレットペーパーの使用操作時にペーパーホルダーに手を触れることなく、トイレットペーパーの先端部を所望の長さだけ繰り出し、その繰り出されたトイレットペーパーを手で掴んで簡単・確実に切り取ることができるようにする。【解決手段】  左右の側壁間に回転自在に保持されたロール巻き状トイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、そのモーターの電源装置と、トイレットペーパーを使用するためにトイレットペーパーホルダーを操作する利用者の操作手先の接近状態を感知して電気回路を開閉する近接センサースイッチを設け、前記モーターを前記近接センサースイッチを介して前記電源装置に接続してトイレットペーパーホルダーを構成する。【選択図】  図１
2005185455.tif 000002
【特許請求の範囲】
【請求項１】
ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、前記モーターの電源装置と、前記トイレットペーパーを使用するためにトイレットペーパーホルダーを操作する利用者の操作手先の接近状態を感知して電気回路を開閉する近接センサースイッチを設け、前記モーターを前記近接センサースイッチを介して前記電源装置に接続したことを特徴とするトイレットペーパーホルダー。
【請求項２】
ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、前記モーターの電源装置と、前記トイレットペーパーを使用するためにトイレットペーパーホルダーを操作する利用者の操作手先の接近状態を感知して電気回路を開閉する近接センサースイッチを設け、前記トイレットペーパーの外周面の上方を覆う紙切り板に、前記ペーパー繰り出し回転輪を装着して前記ペーパー繰り出し回転輪を前記トイレットペーパーの外周面に接触させ、前記モーターを前記近接センサースイッチを介して前記電源装置に接続したことを特徴とするトイレットペーパーホルダー。
【請求項３】
ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、前記モーターの電源装置と、前記トイレットペーパーを使用するためにトイレットペーパーホルダーを操作する利用者の操作手先の接近状態を感知して電気回路を開閉する近接センサースイッチを設け、前記トイレットペーパーの外周面の上方を覆う紙切り板に切欠部を形成し、前記ペーパー繰り出し回転輪を前記紙切り板に装着し且つ前記切欠部からロール巻き状トイレットペーパーの方へ覗かせて前記ペーパー繰り出し回転輪を前記トイレットペーパーの外周面に接触させ、前記モーターを前記紙切り板に載置して前記ペーパー繰り出し回転輪の回転軸と連結させ、前記モーターを前記近接センサースイッチを介して前記電源装置に接続したことを特徴とするトイレットペーパーホルダー。
【請求項４】
ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、前記モーターの電源装置と、前記トイレットペーパーを使用するためにトイレットペーパーホルダーを操作する利用者の操作手先の接近状態を感知して電気回路を開閉する近接センサースイッチを設け、前記トイレットペーパーの外周面の上方を覆う紙切り板に窓孔を形成し、前記ペーパー繰り出し回転輪を前記紙切り板に装着し且つ前記窓孔から覗かせて、前記ペーパー繰り出し回転輪を前記トイレットペーパーの外周面に接触させ、前記モーターを前記紙切り板に載置して前記ペーパー繰り出し回転輪の回転軸と連結させると共に、前記モーターの電源装置をも前記紙切り板上に載置し、前記モーターを前記近接センサースイッチを介して前記電源装置に接続したことを特徴とするトイレットペーパーホルダー。
【請求項５】
ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、前記モーターの電源装置と、前記トイレットペーパーを使用するためにトイレットペーパーホルダーを操作する利用者の操作手先の接近状態を感知して電気回路を開閉する近接センサースイッチを設け、前記近接センサースイッチをホルダー枠体または前記紙切り板に装着し、前記モーターを前記近接センサースイッチを介して前記電源装置に接続したことを特徴とするトイレットペーパーホルダー。
【請求項６】
ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、トイレットペーパーの外周面の上方を覆う紙切り板に窓孔を形成し、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪を前記紙切り板に装着すると共に、そのペーパー繰り出し回転輪を前記紙切り板の窓孔から覗かせて前記トイレットペーパーの外周面に接触させ、そのペーパー繰り出し回転輪を回転駆動するモーターを前記紙切り板上に載置して前記ペーパー繰り出し回転輪の回転軸と連結させ、更に前記モーターの電源装置をも前記紙切り板上に載置し、前記トイレットペーパーを使用するためにトイレットペーパーホルダーを操作する利用者の操作手先の接近状態を感知して電気回路を開閉する近接センサースイッチを設け、前記モーターを前記近接センサースイッチを介して前記電源装置に接続したことを特徴とするトイレットペーパーホルダー。
【発明の詳細な説明】
【技術分野】
【０００１】
この発明は、ロール巻き状のトイレットペーパーをトイレット内に保持して使用に供するためのトイレットペーパーホルダーに関するものである。
【背景技術】
【０００２】
日常使用されるトイレットペーパーは、殆どロール巻き状のトイレットペーパーであって、その帯状ペーパーを先端部から引き出して（繰り出して）所望の長さで切り取って使用できるように、また容易にそのロール巻き状トイレットペーパーの補充交換ができるように、トレットペーパーホルダーに保持してトイレット内に配備されている。一方、衛生感覚の高まりから、清浄に保たれているトイレットであっても、トレットペーパーホルダーに直接手を触れることなく、ロール巻き状のトイレットペーパーから所望の長さの帯状ペーパーを引き出して切り離し使用したいという願望が強い。
【０００３】
このような現状と要望から、この種の従来のトイレットペーパーホルダーとして、ホルダー筐体にトイレットペーパー繰出口を設け、互に並行して接した繰出用ローラーと補助ローラーからなるトイレットペーパー繰出手段を上記繰出口の内側に設けると共に、トイレットペーパーを切断するカッター手段を上記繰出口の外側に設け、ロール巻き状のトイレットペーパーの先端部を、繰出用ローラーと補助ローラーの間を通してトイレットペーパー繰出口からカッター手段へと導出させ、駆動用モーターによって上記繰出用ローラーを回転させることにより、繰出用ローラーと補助ローラーとの間に挟持されたトイレットペーパーをトイレットペーパーホルダーから繰り出すようにすると共に、操作用押しボタンスイッチで上記駆動用モーターの駆動時間を変えてトイレットペーパーの繰り出し長さを加減し、且つ上記カッター手段でその繰り出されたトイレットペーパーの先端部を切断するようにしたものが提案されている（特開平９−７５２５８号公報参照）。しかし、このようなトイレットペーパーホルダーでは、ロール巻き状のトイレットペーパーの先端部を、繰出用ローラーと補助ローラーの間を通してトカッター手段の方へ導出させねばならぬので、トイレットペーパーの補充交換作業が極めて煩雑で不便を感ずる上に、カッター機構も必要とし、また、衛生感覚として気になるトイレットペーパーホルダーの一部をなす操作用押しボタンスイッチに手を触れなければならない難点がある。
【０００４】
また、この種のトイレットペーパーホルダーの他の従来例として、上記従来例と同様に互に並行して接したドライブローラならびにアイドルローラと、トイレットペーパーを切断するカッターを設け、ロール巻き状のトイレットペーパーの先端部を、ドライブローラとアイドルローラの間を通してカッターへ導き、駆動モータによってドライブローラを回転させることによりトイレットペーパーをトイレットペーパーホルダーから繰り出すようにすると共に、近接関知センサーに手を近づける時間を加減して上記駆動用モーターの駆動時間を変えてトイレットペーパーの繰り出し長さを加減し、上記カッター手段でその繰り出されたトイレットペーパーの先端部を切断するようにしたものも提案されている（特開平１０−５１４９号公報参照）。  しかし、このようなトイレットペーパーホルダーでは、トイレットペーパーホルダーの使用操作のためにトイレットペーパーホルダーに直接手を触れる必要はないが、矢張りロール巻き状のトイレットペーパーの先端部をドライブローラー（繰出用ローラー）とアイドルローラー（補助ローラー）の間を通してカッターの方へ導かねばならぬので、トイレットペーパーの補充交換作業が極めて煩雑で厄介であり、カッター機構も要する難点があることは同じである。
【０００５】
【特許文献１】特開平  ９−７５２５８号公報
【特許文献２】特開平１０−  ５１４９号公報
【発明の開示】
【発明が解決しようとする課題】
【０００６】
この発明は、上記のような従来のトイレットペーパーホルダーの難点を改良するもので、ロール巻き状のトイレットペーパーの軸心部を回転自在に保持する左右の側壁およびその両側壁を繋ぐ後壁が形成されたホルダー枠と、そのホルダー枠の後壁に沿って回動自在に支持されてロール巻き状のトイレットペーパーの上方を覆う紙切り板からなる極めて簡単な構造の既存のトイレットペーパーホルダーを基に、これを改良して、ロール巻き状のトイレットペーパーの使用操作時にトイレットペーパーホルダーに手を触れることなくトイレットペーパーの先端部を所望の長さだけ繰り出し、且つその繰り出されたトイレットペーパーを手で掴んで引くことによって必要量のトイレットペーパーを簡単・確実に切り取ることができるようにしようとするものである。
【課題を解決するための手段】
【０００７】
上記の課題を解決するために、この発明は、ロール巻き状のトイレットペーパーの軸心部を回転自在に保持する左右の側壁およびその両側壁を繋ぐ後壁が形成されたホルダー枠と、そのホルダー枠の後壁に沿って回動自在に支持されてトイレットペーパーの外周面の上方を覆う紙切り板を備えたトイレットペーパーホルダーにおいて、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、そのモーターの電源装置と、前記トイレットペーパーを使用するためにトイレットペーパーホルダーを手で操作する利用者の操作手先の接近状態を感知して電気回路を開閉する近接センサースイッチを設け、前記モーターを前記近接センサースイッチを介して前記電源装置に接続してトイレットペーパーホルダーを構成する。
【０００８】
また、ペーパー繰り出し回転輪の回転時に帯状のトイレットペーパーが確実に繰り出され且つペーパー繰り出し回転輪の静止時にトイレットペーパーの切り取りに備えてトイレットペーパーが回転しないようトイレットペーパーの外周面が押圧されるようにするために、ロール巻き状トイレットペーパーの外周面の上方を覆う紙切り板に窓孔を形成し、ペーパー繰り出し回転輪を前記紙切り板に装着し且つ前記窓孔から覗かせて、前記ペーパー繰り出し回転輪を前記トイレットペーパーの外周面に接触させる。またその上に、ペーパー繰り出し回転輪を回転駆動するモーターを前記紙切り板上に載置して前記ペーパー繰り出し回転輪の回転軸と連結させる。
【０００９】
更に、ペーパー繰り出し回転輪の回転時に帯状のトイレットペーパーが確実に繰り出され且つペーパー繰り出し回転輪の静止時にトイレットペーパーの切り取りに備えてトイレットペーパーが回転しないよう、トイレットペーパーの外周面に十分な押圧力を付加するために、ペーパー繰り出し回転輪を前記紙切り板に装着しその窓孔から覗かせてトイレットペーパーの外周面に接触させると共に、ペーパー繰り出し回転輪を回転駆動するモーターやそのモーターの電源装置を紙切り板上に載置する。
【００１０】
また、トイレットペーパーの使用者がトイレットペーパーホルダーに手を直接触れることなく所望の長さのトイレットペーパーを取り出して切り取ることを可能にするために、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪と、そのペーパー繰り出し回転輪を回転駆動するモーターと、前記モーターの電源装置と、前記トイレットペーパーを使用するためにトイレットペーパーホルダーを手で操作する利用者の操作手先の接近状態を感知して電気回路を開閉する近接センサースイッチを設け、その近接センサースイッチを前記ホルダー枠体あるいは紙切り板に装着すると共に、前記モーターを前記近接センサースイッチを介して前記電源装置に接続してトイレットペーパーホルダーを構成する。
【発明の効果】
【００１１】
この発明に係るトイレットペーパーホルダーによれば、ペーパー繰り出し回転輪をロール巻き状のトイレットペーパーの外周面上部に直接接触させて帯状のトイレットペーパーの繰り出し動作と繰り出し停止動作を行なわせるものであることから、前記従来のトイレットペーパーホルダーに見られるような、比較的高精度加工を要するトイレットペーパー繰出手段、即ち互いに並行して接する繰出用ローラーと補助ローラーからなるトイレットペーパー繰出手段を設ける必要がなく、そのような繰出用ローラーと補助ローラーの間にトイレットペーパーの先端部を挟持させる必要もないことから、トイレットペーパーホルダーへのトイレットペーパーの装着作業やトイレットペーパーの交換作業を極めて簡単容易に行なうことができる。またこの発明に係るトイレットペーパーホルダーでは、ロール巻き状のトイレットペーパーの外周面上方を覆う紙切り板の上に、ペーパー繰り出し回転輪を回転駆動するモーターやそのモーターの電源装置を載置することから、ロール巻き状トイレットペーパーの外周面に十分な押圧力が加わって、ロール巻き状のトイレットペーパーの外周面とペーパー繰り出し回転輪の間の摩擦効果が高まる。その結果、ペーパー繰り出し回転輪の回転時にはペーパー繰り出し回転輪がトイレットペーパーの先端部を確実に捉えてホルダー枠体の外へ確実に繰り出し、ペーパー繰り出し回転輪の停止時にはロール巻き状トイレットペーパーの回動を抑えることができる。そして繰り出し回転輪の停止状態において、既に所要の長さに繰り出されたトイレットペーパー先端部を手で持って上方へ引けば、そのトイレットペーパー先端部は紙切り板の前縁の紙切り縁によって切り離させるので、前記従来のトイレットペーパーホルダーに見られるような、複雑な構造のカッター手段を別に設ける必要もない。そして、トイレットペーパーホルダーを操作する利用者が手先をトイレットペーパーホルダーに付加した近接センサースイッチに近づけその近接時間を加減することにより、トイレットペーパーホルダーに直接手を触れることなく、所望の長さのトイレットペーパーを繰り出させて簡単に切り取ることができ、トイレットペーパー使用者の清潔感・衛生感を満たすことができる。
【発明を実施するための最良の形態】
【００１２】
この発明に係るトイレットペーパーホルダーの最良の実施形態は、ロール巻き状のトイレットペーパーの軸心部を回転自在に保持する左右の側壁と、その両側壁を繋ぐ後壁と、後縁が前記後壁に沿って回動自在に支持され且つ前記トイレットペーパーの外周面の上方を覆う紙切り板を備えたトイレットペーパーホルダーにおいて、トイレットペーパーの外周面の上方を覆う紙切り板に窓孔を形成し、左右の側壁間に回転自在に保持されたロール巻き状のトイレットペーパーの外周面に接しながら回転してそのトイレットペーパーの先端部をトイレットペーパーホルダーから外へ繰り出すペーパー繰り出し回転輪を前記紙切り板に装着すると共に、そのペーパー繰り出し回転輪を前記紙切り板の窓孔から覗かせて前記トイレットペーパーの外周面に接触させ、そのペーパー繰り出し回転輪を回転駆動するモーターを前記紙切り板上に載置して前記ペーパー繰り出し回転輪の回転軸と連結させ、更に前記モーターの電源装置をも前記紙切り板上に載置し、前記トイレットペーパーを使用するためにトイレットペーパーホルダーを手で操作する利用者の操作手先の接近状態を感知して電気回路を開閉する近接センサースイッチを前記側壁の外側あるいは紙切り板に装着し、前記モーターを前記近接センサースイッチを介して前記電源装置に接続したトイレットペーパーホルダーである。
【実施例１】
【００１３】
以下図面を参考に、この発明の一実施例を説明する。図１は、この発明に係るトイレットペーパーホルダーの斜視図である。図２は同トイレットペーパーホルダーの電気回路図、図３は同トイレットペーパーホルダーの平面図、図４は図３のＡ−Ａ’線による同トイレットペーパーホルダーの断面図である。
【００１４】
図において、Ｈはホルダー枠体で、右の側壁１と、左の側壁２と、その両側壁１，２を繋ぐ後壁３から成り、右左の側壁１，２の間に、ロール巻き状のトイレットペーパーＰの軸心部Paが回転自在に保持されるものである。４は紙切り板で、紙切り板４の後縁4aがホルダー枠体Ｈの後壁３から回動自在なようにホルダー枠体Ｈに装着されており、トイレットペーパーＰがホルダー枠体Ｈに保持されている状態では、紙切り板４はトイレットペーパーＰの外周面の上方を覆って、その前縁がトイレットペーパーＰを切り取る際の紙切り縁4bとなっている。なお、上記のようなホルダー枠体Ｈと紙切り板４からなる極めて簡単な構造のトイレットペーパーホルダーは従来から多用されている。
【００１５】
そして上記の紙切り板４には更に窓孔4cが形成されている。５はペーパー繰り出し回転輪で、ペーパー繰り出し回転輪５を紙切り板４に回転自在に装着すると共に窓孔4cから覗かせて、側壁２，３間に回転自在に保持されたロール巻き状のトイレットペーパーＰの外周面に接触させている。したがって、ペーパー繰り出し回転輪５がトイレットペーパーＰの外周面に接しながら回転することにより、そのトイレットペーパーＰの先端部PbがホルダーＨから外へ送り出される。またペーパー繰り出し回転輪５の外周面はゴム材のような摩擦材5aが覆着されている。摩擦材5aは、トイレットペーパーＰの外周面とペーパー繰り出し回転輪５の間のスリップを防止するために付加したもので、摩擦材5aを設けることにより、ペーパー繰り出し回転輪５が回転する際にトイレットペーパーＰの表面を密に捉えてトイレットペーパーＰの先端部Pbを一層確実に送り出すことができ、またペーパー繰り出し回転輪５が静止状態にあるときには、トイレットペーパーＰの先端部5bに切り取り力が加わっても、トイレットペーパーＰの先端部Pbが不用意に引き出されないようにトイレットペーパーＰに大きな制止力を与えることができる。
【００１６】
６は、ペーパー繰り出し回転輪５を回転駆動するモーターで、モーター６は紙切り板４の上に載置され且つ減速連結ギア群（ギア・ボックス）７を介してペーパー繰り出し回転輪５の回転軸に連結されている。８は、モーター７の電源装置で、電源装置８も紙切り板４の上に載置されている。９は近接センサースイッチでホルダーＨの側壁２に装着されている。なお、近接センサースイッチ９は近接感知部9aを備え、トイレットペーパーを使用するためにトイレットペーパーホルダーＨを操作しようとする利用者が、その操作手先（手のひら部）を近接感知部9aに十分近づけると電気接点がＯＮとなり、その操作手先を近接感知部9aから遠ざけると電気接点がＯＦＦとなる周知のものである。またモータ６は、図２に示すように、近接センサースイッチ９を介して電源装置８に接続される。この実施例における電源装置８は、商用電源Ｅに接続してその電圧ＡＣ100ＶからＤＣ3.0Ｖに変換してモーター６に供給する装置であるが、モーター６の作動に適した電源が手近にある場合には、上記のような電源装置８を省いて、近接センサースイッチ９を介してモーター６をその適合電源に接続すれば良い。そして、上記のようにモーター６や電源装置８を紙切り板４に載置することにより、モーター６や電源装置８の重量がペーパー送り出し回転輪５を介してロール巻き状のトイレットペーパーＰに加わってトイレットペーパーＰを押圧するので、ペーパー送り出し回転輪５の静止時におけるトイレットペーパーＰに対する回転制止力は更に高まる。
【００１７】
この発明に係る上記構成のトイレットペーパーホルダーを使用する際には、使用者が操作手先を近接センサースイッチ９の近接感知部9aに近づけることにより、モーター６が起動してペーパー繰り出し回転輪５が低速回転し、そのペーパー繰り出し回転輪５に接しているトイレットペーパーＰの先端部Pbがホルダー枠体Ｈから徐々に繰り出される。
そして、トイレットペーパーＰの先端部Pbが所望の長さだけ繰り出された時点で、操作手先を近接センサースイッチ９の近接感知部9aから遠ざけると、モーター６およびペーパー繰り出し回転輪５が停止してトイレットペーパーＰの先端部Pbの繰り出しが止まり、ロール巻き状トイレットペーパーの回動が制止される。そして、この制止状態において、先に繰り出されたトイレットペーパーの先端部Pbを手で持って紙切り板４の上方に向けて引き上げることにより、トイレットペーパーの先端部Pbを紙切り板４の紙切り縁4bに沿って切り取ることができる。したがってトイレットペーパーの使用者は、トイレットペーパー先端部の繰り出しから切り取りに至るまでトイレットペーパーホルダーに直接手を触れる必要が全く無く、清潔感が満たされる。
【産業上の利用可能性】
【００１８】
この発明に係るトイレットペーパーホルダーは、家庭用、事務所用、公共施設用の何れを問わず簡単に設置して利用することができ、広く一般の需要に応え得るものである。
【図面の簡単な説明】
【００１９】
【図１】この発明の一実施例を示すトイレットペーパーホルダーの斜視図。
【図２】同トイレットペーパーホルダーの電気回路図。
【図３】同トイレットペーパーホルダーの上面図。
【図４】図３のＡ−Ａ’線に沿う同トイレットペーパーホルダーの断面図。
【符号の説明】
【００２０】
Ｈ  ：  ホルダー枠体
Ｐ  ：  トイレットペーパー
Pa  ：  トイレットペーパーの軸心部
Pb  ：  トイレットペーパーの先端部
１  ：  側壁
２  ：  側壁
３  ：  後壁
４  ：  紙切り板
4a  ：  紙切り板の後縁
4b  ：  紙切り板の紙切り縁（前縁）
4c  ：  紙切り板の窓孔
５  ：  ペーパー繰り出し回転輪
5a  ：  摩擦材
６  ：  モーター
７  ：  減速連結ギア群（ギア・ボックス）
８  ：  電源装置
９  ：  近接センサースイッチ
9a  ：  近接センサースイッチの近接感知部
【図１】
2005185455.tif 000003
【図２】
2005185455.tif 000004
【図３】
2005185455.tif 000005
【図４】
2005185455.tif 000006